(57)【要約】【課題】ＡＦ測光系、ＡＥ測光系、電子映像出力用撮像素子等の光学センサをスペース効率良く配置した小型のカメラを提供することである。【解決手段】撮影レンズからの光束は、クイックリターンミラー３１でボディユニット３０の横方向に反射され、一部を除いてスクリーン７１を介して第２ミラー７２でボディユニット３０の上方向へ反射される。第２ミラー７２で反射された光束は、第３ミラー７３でクイックリターンミラー３１で反射された光束と反対方向に反射され、更に第４ミラー７４によってボディユニット３０後方のアイピース側に反射される。また、上記スクリーン７１を透過した一部の光束は、第２ミラー７２の裏面側に配置されたＡＦセンサユニット３５に取り込まれて光学像の結像位置が検出される。【選択図】      図３
2006071839.tif 000002
【特許請求の範囲】
【請求項１】
撮影レンズにより結像された光学像を電気信号に変換する光電変換素子と、
上記光電変換素子と上記撮像レンズとの間に配置され、該撮像光学系の光軸と略直角の方向に上記光軸を折り曲げる第１の光学反射面と、
上記第１の光学反射面により折り曲げられた上記光軸を更に別の方向に折り曲げると共に、上記第１の光学反射面で反射された光束の一部を透過する第２の光学反射面と、
上記第２の光学反射面の裏面側に於いて、上記第１の光学反射面で折り曲げられた光軸に交差するように受光面が配置された光学センサと、
を具備することを特徴とするカメラ。
【請求項２】
上記光学センサは、光学像の結像位置を検出するＡＦセンサで構成されることを特徴とする請求項１に記載のカメラ。
【請求項３】
上記光学センサは、光学像の明るさを検出する測光センサで構成されることを特徴とする請求項１に記載のカメラ。
【請求項４】
上記光学センサは、光学像を電気信号に変換する撮像素子ユニットで構成されることを特徴とする請求項１に記載のカメラ。
【請求項５】
上記撮像素子ユニットの結像光学系の一部は自由曲面プリズムで形成されていることを特徴とする請求項４に記載のカメラ。
【請求項６】
上記光学センサは、ＡＦ測光、若しくは撮像を含む複数のセンサ機能のうち、２つ以上の機能を兼ねるものであることを特徴とする請求項１に記載のカメラ。
【請求項７】
上記第２の光学反射面は、半透過幕で構成されることを特徴とする請求項１に記載のカメラ。
【請求項８】
撮像光学系の光軸を略直角の方向に折り曲げる複数の光学反射面を具備するカメラであって、
上記複数の光学反射面の何れかは透光特性を有しており、該透光特性を有する光学反射面の裏面側に上記光軸と交差する受光面を有する光学センサを配置したことを特徴とするカメラ。
【請求項９】
上記光学センサは、ＡＦセンサ、測光センサ、若しくは撮像素子であることを特徴とする請求項８に記載のカメラ。
【請求項１０】
上記光学センサは、ＡＦ、測光、若しくは撮像を含む複数のセンサ機能のうち、２つ以上の機能を兼ねるものであることを特徴とする請求項８に記載のカメラ。
【請求項１１】
上記透光特性を有する光学反射面は、半透過幕であることを特徴とする請求項８に記載のカメラ。
【請求項１２】
上記透光特性を有する光学反射面は、光学像を形成する光束の光路中より退避可能であることを特徴とする請求項８に記載のカメラ。
【請求項１３】
撮影レンズにより結像された光学像を電気信号に変換する光電変換素子と、
上記光電変換素子と上記撮像レンズとの間に配置され、該撮影レンズの光軸と略直角の方向に、光軸を折り曲げる第１の光学反射面と、
上記第１の光学反射面により折り曲げられた光軸位置に配置され、上記光軸を更に略直角方向に折り曲げる第２の光学反射面と、
上記第２の光学反射面により折り曲げられた光軸位置に配置され、上記光軸を更に略直角方向に折り曲げる第３の光学反射面と、
上記第３の光学反射面により折り曲げられた光軸位置に配置され、上記光軸を更に略直角方向に折り曲げる第４の光学反射面と、
光学像が形成される位置に配置されたスクリーンと、
上記第４の光学反射面より折り曲げられた上記光軸位置に設けられたアイピースと、
を具備し、
上記第２、第３、及び第４の光学反射面の何れかは、光学像を形成する光束の一部を透過する光学部材で形成され、その裏面側に上記光軸に交差する受光面を有する光学センサが配置されていることを特徴とするカメラ。
【請求項１４】
撮像光学系からの光束を所定の方向へ向けて反射する第１の光学反射面と、
上記第１の光学反射面の反射光軸上に配置され、上記第１の光学反射面からの反射光束の少なくとも一部を上記反射光軸とは異なる方向に向けて反射する第２の光学反射面と、
上記第２の光学反射面の裏面側に設けられるもので、上記第１の光学反射面の反射光軸に交差するように受光面が配置された光学センサと、
を具備することを特徴とするカメラ。
【請求項１５】
上記光学センサは、光学像の結像位置を検出するＡＦセンサで構成されることを特徴とする請求項１４に記載のカメラ。
【請求項１６】
上記光学センサは、光学像の明るさを検出する測光センサで構成されることを特徴とする請求項１４に記載のカメラ。
【請求項１７】
上記光学センサは、光学像を電気信号に変換する撮像素子ユニットで構成されることを特徴とする請求項１４に記載のカメラ。
【請求項１８】
上記撮像素子ユニットの結像光学系の一部は自由曲面プリズムで形成されていることを特徴とする請求項１７に記載のカメラ。
【請求項１９】
上記光学センサは、ＡＦ測光、若しくは撮像を含む複数のセンサ機能のうち、２つ以上の機能を兼ねるものであることを特徴とする請求項１４に記載のカメラ。
【請求項２０】
上記第２の光学反射面は、半透過幕で構成されることを特徴とする請求項１４に記載のカメラ。
【請求項２１】
撮像光学系からの光束を所定の方向へ向けて反射する第１の光学反射面と、
上記第１の光学反射面の反射光軸上に配され、上記第１の光学反射面からの反射光束を所定の方向へ反射する第２の光学反射面と、
上記第２の光学反射面の反射光軸上に配され、上記第２の光学反射面からの反射光束を所定の方向へ反射する第３の光学反射面と、
上記第３の光学反射面の反射光軸上に配され、上記第３の光学反射面からの反射光束を所定の方向へ反射する第４の光学反射面と、
上記第１の光学反射面の反射光軸上であって、上記撮像光学系の結像位置に配されるスクリーンと、
上記第４の光学反射面の反射光軸上に配され、上記撮像光学系により上記スクリーン上に結像された像を観察するための接眼光学系と、
上記第２の光学反射面の裏面側に設けられるもので、上記第１の光学反射面の反射光軸と交差するように受光面が配置された光学センサと、
を具備することを特徴とするカメラ。
【請求項２２】
上記光学センサは、光学像の結像位置を検出するＡＦセンサで構成されることを特徴とする請求項２１に記載のカメラ。
【請求項２３】
上記光学センサは、光学像の明るさを検出する測光センサで構成されることを特徴とする請求項２１に記載のカメラ。
【請求項２４】
上記光学センサは、光学像を電気信号に変換する撮像素子ユニットで構成されることを特徴とする請求項２１に記載のカメラ。
【請求項２５】
上記撮像素子ユニットの結像光学系の一部は自由曲面プリズムで形成されていることを特徴とする請求項２４に記載のカメラ。
【請求項２６】
上記光学センサは、ＡＦ測光、若しくは撮像を含む複数のセンサ機能のうち、２つ以上の機能を兼ねるものであることを特徴とする請求項２１に記載のカメラ。
【請求項２７】
上記第２の光学反射面は、半透過幕で構成されることを特徴とする請求項２１に記載のカメラ。
【請求項２８】
被写体の光学像を結像する撮像光学系と、
上記光学像を電気信号に変換する光電変換素子と、
上記光電変換素子と上記撮像光学系との間に配され、該撮像光学系から入射する光束を撮像光学系の光軸と略直角で、撮影視野範囲の長手方向である第１の方向に反射する第１の光学反射面と、
上記第１の光学反射面を上記光電変換素子と上記撮像光学系との光路間に配置された状態と、上記光路から退避した状態とに切り替える切り替え手段と、
上記第１の光学反射面の反射光軸上に配置され、上記撮像光学系の結像位置に配置されたスクリーンと、
上記第１の光学反射面の反射光軸上であって、上記スクリーンを挟んで、上記第１の反射面の反対側に配置され、上記第１の光学反射面からの反射光束を、上記第１の方向と略直交する第２の方向に反射する第２の光学反射面と、
上記第２の光学反射面の裏面側に設けられるもので、上記第１の光学反射面の反射光軸に交差するように受光面が配置された光学センサと、
を具備することを特徴とするカメラ。
【請求項２９】
上記光学センサは、光学像の結像位置を検出するＡＦセンサで構成されることを特徴とする請求項２８に記載のカメラ。
【請求項３０】
上記光学センサは、光学像の明るさを検出する測光センサで構成されることを特徴とする請求項２８に記載のカメラ。
【請求項３１】
上記光学センサは、光学像を電気信号に変換する撮像素子ユニットで構成されることを特徴とする請求項２８に記載のカメラ。
【請求項３２】
上記撮像素子ユニットの結像光学系の一部は自由曲面プリズムで形成されていることを特徴とする請求項３１に記載のカメラ。
【請求項３３】
上記光学センサは、ＡＦ測光、若しくは撮像を含む複数のセンサ機能のうち、２つ以上の機能を兼ねるものであることを特徴とする請求項２８に記載のカメラ。
【請求項３４】
上記第２の光学反射面は、半透過幕で構成されることを特徴とする請求項２８に記載のカメラ。
【請求項３５】
被写体の光学像を結像する撮像光学系と、
上記光学像を電気信号に変換する光電変換素子と、
上記光電変換素子と上記撮像光学系との間に配され、該撮像光学系から入射する光束を撮像光学系の光軸と略直角で、撮影視野範囲の長手方向である第１の方向に反射する第１の光学反射面と、
上記第１の光学反射面を上記光電変換素子と上記撮像光学系との光路間に配置された状態と、上記光路から退避した状態とに切り替える切り替え手段と、
上記第１の光学反射面の反射光軸上に配置され、上記撮像光学系の結像位置に配置されたスクリーンと、
上記第１の光学反射面の反射光軸上であって、上記スクリーンを挟んで、上記第１の反射面の反対側に配置され、上記第１の光学反射面からの反射光束を、上記第１の方向と略直交する第２の方向に反射する第２の光学反射面と、
上記第２の光学反射面の反射光軸上に配され、上記第２の光学反射面からの反射光束を、上記第１の方向と反対の第３の方向に反射する第３の光学反射面と、
上記第３の光学反射面の反射光軸上に配され、上記第３の光学反射面からの反射光束を、上記撮像光学系から入射する光束の入射方向と略同一方向に反射する第４の光学反射面と、
上記第４の光学反射面からの反射光軸上に配置され、上記スクリーン上の像を観察するための接眼光学系と、
上記第２の光学反射面の裏面側に設けられるもので、上記第１の光学反射面の反射光軸に交差するように受光面が配置された光学センサと、
を具備することを特徴とするカメラ。
【請求項３６】
上記光学センサは、光学像の結像位置を検出するＡＦセンサで構成されることを特徴とする請求項３５に記載のカメラ。
【請求項３７】
上記光学センサは、光学像の明るさを検出する測光センサを含む構成であることを特徴とする請求項３５に記載のカメラ。
【請求項３８】
上記第３の光学反射面の裏面側に配置されるもので、光学像を電気信号に変換する撮像素子ユニットを更に具備することを特徴とする請求項３５に記載のカメラ。
【請求項３９】
上記撮像素子ユニットの結像光学系の一部は自由曲面プリズムで形成されていることを特徴とする請求項３８に記載のカメラ。
【請求項４０】
上記光学センサは、ＡＦ測光、若しくは撮像を含む複数のセンサ機能のうち、２つ以上の機能を兼ねるものであることを特徴とする請求項３５に記載のカメラ。
【請求項４１】
上記第２の光学反射面は、半透過幕で構成されることを特徴とする請求項３５に記載のカメラ。
【請求項４２】
上記第３の光学反射面は、半透過幕で構成されることを特徴とする請求項３８に記載のカメラ。
【請求項４３】
撮影レンズにより結像された光学像を電気信号に変換する光電変換素子と、
上記光電変換素子と上記撮像レンズとの間に配置され、該撮影レンズの光軸と略直角の方向に、光軸を折り曲げる第１の光学反射面と、
上記第１の光学反射面により折り曲げられた光軸位置に配置され、上記光軸を更に略直角方向に折り曲げる第２の光学反射面と、
上記第２の光学反射面により折り曲げられた光軸位置に配置され、上記光軸を更に略直角方向に折り曲げる第３の光学反射面と、
上記第３の光学反射面により折り曲げられた光軸位置に配置され、上記光軸を更に略直角方向に折り曲げる第４の光学反射面と、
光学像が形成される位置に配置されたスクリーンと、
上記第４の光学反射面より折り曲げられた上記光軸位置に設けられたアイピースと、
を具備し、
上記第２、第３、及び第４の光学反射面の何れかは、上記アイピースへの光路と上記撮像素子側への光路を切り換えることを特徴とするカメラ。
【発明の詳細な説明】
【技術分野】
【０００１】
本発明は、撮像素子を有するカメラに係り、特にカメラシステムの中の自動焦点検出ユニット、露出の測光ユニット、ファインダ機能用撮像素子ユニットに関するものである。
【背景技術】
【０００２】
従来、ＴＴＬ式のファインダ及び自動焦点検出ユニット、露出の測光ユニット、ファインダ機能に関する技術としては、ダハプリズムを用いた一眼レフレックス（以下、単に一眼レフと略記する）式のものが一般的である。このダハプリズムを用いた一眼レフは、例えば、上下に回転駆動されるクイックリターンミラーと、クイックリターンミラーの上方に配置されたスクリーンと、スクリーンの上方に配置されたダハプリズムとダハプリズムの後方に配置されたアイピースとから構成されている。
【０００３】
また、この形式では、クイックリターンミラーの後方に配置されたサブミラーによって光路を下方に曲げ、クイックリターンミラーの配置された空間の下側に自動焦点の検出機構に配置されている。具体的には、自動焦点検出ユニット及び撮像素子ユニット（例えば、特許文献１参照）や、露出の測光ユニットが知られている（例えば、特許文献２参照）。
【特許文献１】特開平７−２８７１６０号公報
【特許文献２】特開平６−１３０４５７号公報
【発明の開示】
【発明が解決しようとする課題】
【０００４】
しかしながら、上述した特許文献１、特許文献２に示されたような構成にすると、自動焦点検出ユニットはサブミラーから光束を入射させているために、撮影画面全体にわたる焦点検出はできないものであった。また、露出の測光は、スクリーン面を撮影画面外から斜めに測定することから、測光感度の画面分布が非対象となり、画面中心に対称な測光感度分布に近付けるために非対象の光学系にすることが必要である。更には、できるだけスクリーンを垂直に見るようにスクリーンから離れた位置に測光ユニットが置かれるために、測光ユニットに充分な光量を入れることができないものであった。
【０００５】
また、ファインダ機能として、撮影画面の電子画像をモニタで見たいとの要求があるが、従来の方法ではファインダのペンタプリズムの後方で光束の分割をして、撮像素子ユニットに導いているので、ファインダ部が大型のものになってしまっていた。
【０００６】
したがって本発明の目的は、上記実情に鑑みてなされたものであり、ＡＦ測光系、ＡＥ測光系、電子映像出力用撮像素子等の光学センサをスペース効率良く配置した小型のカメラを提供することにある。
【課題を解決するための手段】
【０００７】
すなわち、請求項１に記載の発明は、撮影レンズにより結像された光学像を電気信号に変換する光電変換素子と、上記光電変換素子と上記撮像レンズとの間に配置され、該撮像光学系の光軸と略直角の方向に上記光軸を折り曲げる第１の光学反射面と、上記第１の光学反射面により折り曲げられた上記光軸を更に別の方向に折り曲げると共に、上記第１の光学反射面で反射された光束の一部を透過する第２の光学反射面と、上記第２の光学反射面の裏面側に於いて、上記第１の光学反射面で折り曲げられた光軸に交差するように受光面が配置された光学センサと、を具備することを特徴とする。
【０００８】
請求項２に記載の発明は、請求項１に記載の発明に於いて、上記光学センサは、光学像の結像位置を検出するＡＦセンサで構成されることを特徴とする。
【０００９】
請求項３に記載の発明は、請求項１に記載の発明に於いて、上記光学センサは、光学像の明るさを検出する測光センサで構成されることを特徴とする。
【００１０】
請求項４に記載の発明は、請求項１に記載の発明に於いて、上記光学センサは、光学像を電気信号に変換する撮像素子ユニットで構成されることを特徴とする。
【００１１】
請求項５に記載の発明は、請求項４に記載の発明に於いて、上記撮像素子ユニットの結像光学系の一部は自由曲面プリズムで形成されていることを特徴とする。
【００１２】
請求項６に記載の発明は、請求項１に記載の発明に於いて、上記光学センサは、ＡＦ測光、若しくは撮像を含む複数のセンサ機能のうち、２つ以上の機能を兼ねるものであることを特徴とする。
【００１３】
請求項７に記載の発明は、請求項１に記載の発明に於いて、上記第２の光学反射面は、半透過幕で構成されることを特徴とする。
【００１４】
請求項８に記載の発明は、撮像光学系の光軸を略直角の方向に折り曲げる複数の光学反射面を具備するカメラであって、上記複数の光学反射面の何れかは透光特性を有しており、該透光特性を有する光学反射面の裏面側に上記光軸と交差する受光面を有する光学センサを配置したことを特徴とする。
【００１５】
請求項９に記載の発明は、請求項８に記載の発明に於いて、上記光学センサは、ＡＦセンサ、測光センサ、若しくは撮像素子であることを特徴とする。
【００１６】
請求項１０に記載の発明は、請求項８に記載の発明に於いて、上記光学センサは、ＡＦ、測光、若しくは撮像を含む複数のセンサ機能のうち、２つ以上の機能を兼ねるものであることを特徴とする。
【００１７】
請求項１１に記載の発明は、請求項８に記載の発明に於いて、上記透光特性を有する光学反射面は、半透過幕であることを特徴とする。
【００１８】
請求項１２に記載の発明は、請求項８に記載の発明に於いて、上記透光特性を有する光学反射面は、光学像を形成する光束の光路中より退避可能であることを特徴とする。
【００１９】
請求項１３に記載の発明は、撮影レンズにより結像された光学像を電気信号に変換する光電変換素子と、上記光電変換素子と上記撮像レンズとの間に配置され、該撮影レンズの光軸と略直角の方向に、光軸を折り曲げる第１の光学反射面と、上記第１の光学反射面により折り曲げられた光軸位置に配置され、上記光軸を更に略直角方向に折り曲げる第２の光学反射面と、上記第２の光学反射面により折り曲げられた光軸位置に配置され、上記光軸を更に略直角方向に折り曲げる第３の光学反射面と、上記第３の光学反射面により折り曲げられた光軸位置に配置され、上記光軸を更に略直角方向に折り曲げる第４の光学反射面と、光学像が形成される位置に配置されたスクリーンと、上記第４の光学反射面より折り曲げられた上記光軸位置に設けられたアイピースと、を具備し、上記第２、第３、及び第４の光学反射面の何れかは、光学像を形成する光束の一部を透過する光学部材で形成され、その裏面側に上記光軸に交差する受光面を有する光学センサが配置されていることを特徴とする。
【００２０】
請求項１４に記載の発明は、撮像光学系からの光束を所定の方向へ向けて反射する第１の光学反射面と、上記第１の光学反射面の反射光軸上に配置され、上記第１の光学反射面からの反射光束の少なくとも一部を上記反射光軸とは異なる方向に向けて反射する第２の光学反射面と、上記第２の光学反射面の裏面側に設けられるもので、上記第１の光学反射面の反射光軸に交差するように受光面が配置された光学センサと、を具備することを特徴とする。
【００２１】
請求項１５に記載の発明は、請求項１４に記載の発明に於いて、上記光学センサは、光学像の結像位置を検出するＡＦセンサで構成されることを特徴とする。
【００２２】
請求項１６に記載の発明は、請求項１４に記載の発明に於いて、上記光学センサは、光学像の明るさを検出する測光センサで構成されることを特徴とする。
【００２３】
請求項１７に記載の発明は、請求項１４に記載の発明に於いて、上記光学センサは、光学像を電気信号に変換する撮像素子ユニットで構成されることを特徴とする。
【００２４】
請求項１８に記載の発明は、請求項１７に記載の発明に於いて、上記撮像素子ユニットの結像光学系の一部は自由曲面プリズムで形成されていることを特徴とする。
【００２５】
請求項１９に記載の発明は、請求項１４に記載の発明に於いて、上記光学センサは、ＡＦ測光、若しくは撮像を含む複数のセンサ機能のうち、２つ以上の機能を兼ねるものであることを特徴とする。
【００２６】
請求項２０に記載の発明は、請求項１４に記載の発明に於いて、上記第２の光学反射面は、半透過幕で構成されることを特徴とする。
【００２７】
請求項２１に記載の発明は、撮像光学系からの光束を所定の方向へ向けて反射する第１の光学反射面と、上記第１の光学反射面の反射光軸上に配され、上記第１の光学反射面からの反射光束を所定の方向へ反射する第２の光学反射面と、上記第２の光学反射面の反射光軸上に配され、上記第２の光学反射面からの反射光束を所定の方向へ反射する第３の光学反射面と、上記第３の光学反射面の反射光軸上に配され、上記第３の光学反射面からの反射光束を所定の方向へ反射する第４の光学反射面と、上記第１の光学反射面の反射光軸上であって、上記撮像光学系の結像位置に配されるスクリーンと、上記第４の光学反射面の反射光軸上に配され、上記撮像光学系により上記スクリーン上に結像された像を観察するための接眼光学系と、上記第２の光学反射面の裏面側に設けられるもので、上記第１の光学反射面の反射光軸と交差するように受光面が配置された光学センサと、を具備することを特徴とする。
【００２８】
請求項２２に記載の発明は、請求項２１に記載の発明に於いて、上記光学センサは、光学像の結像位置を検出するＡＦセンサで構成されることを特徴とする。
【００２９】
請求項２３に記載の発明は、請求項２１に記載の発明に於いて、上記光学センサは、光学像の明るさを検出する測光センサで構成されることを特徴とする。
【００３０】
請求項２４に記載の発明は、請求項２１に記載の発明に於いて、上記光学センサは、光学像を電気信号に変換する撮像素子ユニットで構成されることを特徴とする。
【００３１】
請求項２５に記載の発明は、請求項２４に記載の発明に於いて、上記撮像素子ユニットの結像光学系の一部は自由曲面プリズムで形成されていることを特徴とする。
【００３２】
請求項２６に記載の発明は、請求項２１に記載の発明に於いて、上記光学センサは、ＡＦ測光、若しくは撮像を含む複数のセンサ機能のうち、２つ以上の機能を兼ねるものであることを特徴とする。
【００３３】
請求項２７に記載の発明は、請求項２１に記載の発明に於いて、上記第２の光学反射面は、半透過幕で構成されることを特徴とする。
【００３４】
請求項２８に記載の発明は、被写体の光学像を結像する撮像光学系と、上記光学像を電気信号に変換する光電変換素子と、上記光電変換素子と上記撮像光学系との間に配され、該撮像光学系から入射する光束を撮像光学系の光軸と略直角で、撮影視野範囲の長手方向である第１の方向に反射する第１の光学反射面と、上記第１の光学反射面を上記光電変換素子と上記撮像光学系との光路間に配置された状態と、上記光路から退避した状態とに切り替える切り替え手段と、上記第１の光学反射面の反射光軸上に配置され、上記撮像光学系の結像位置に配置されたスクリーンと、上記第１の光学反射面の反射光軸上であって、上記スクリーンを挟んで、上記第１の反射面の反対側に配置され、上記第１の光学反射面からの反射光束を、上記第１の方向と略直交する第２の方向に反射する第２の光学反射面と、上記第２の光学反射面の裏面側に設けられるもので、上記第１の光学反射面の反射光軸に交差するように受光面が配置された光学センサと、を具備することを特徴とする。
【００３５】
請求項２９に記載の発明は、請求項２８に記載の発明に於いて、上記光学センサは、光学像の結像位置を検出するＡＦセンサで構成されることを特徴とする。
【００３６】
請求項３０に記載の発明は、請求項２８に記載の発明に於いて、上記光学センサは、光学像の明るさを検出する測光センサで構成されることを特徴とする。
【００３７】
請求項３１に記載の発明は、請求項２８に記載の発明に於いて、上記光学センサは、光学像を電気信号に変換する撮像素子ユニットで構成されることを特徴とする。
【００３８】
請求項３２に記載の発明は、請求項３１に記載の発明に於いて、上記撮像素子ユニットの結像光学系の一部は自由曲面プリズムで形成されていることを特徴とする。
【００３９】
請求項３３に記載の発明は、請求項２８に記載の発明に於いて、上記光学センサは、ＡＦ測光、若しくは撮像を含む複数のセンサ機能のうち、２つ以上の機能を兼ねるものであることを特徴とする。
【００４０】
請求項３４に記載の発明は、請求項２８に記載の発明に於いて、上記第２の光学反射面は、半透過幕で構成されることを特徴とする。
【００４１】
請求項３５に記載の発明は、被写体の光学像を結像する撮像光学系と、上記光学像を電気信号に変換する光電変換素子と、上記光電変換素子と上記撮像光学系との間に配され、該撮像光学系から入射する光束を撮像光学系の光軸と略直角で、撮影視野範囲の長手方向である第１の方向に反射する第１の光学反射面と、上記第１の光学反射面を上記光電変換素子と上記撮像光学系との光路間に配置された状態と、上記光路から退避した状態とに切り替える切り替え手段と、上記第１の光学反射面の反射光軸上に配置され、上記撮像光学系の結像位置に配置されたスクリーンと、上記第１の光学反射面の反射光軸上であって、上記スクリーンを挟んで、上記第１の反射面の反対側に配置され、上記第１の光学反射面からの反射光束を、上記第１の方向と略直交する第２の方向に反射する第２の光学反射面と、上記第２の光学反射面の反射光軸上に配され、上記第２の光学反射面からの反射光束を、上記第１の方向と反対の第３の方向に反射する第３の光学反射面と、上記第３の光学反射面の反射光軸上に配され、上記第３の光学反射面からの反射光束を、上記撮像光学系から入射する光束の入射方向と略同一方向に反射する第４の光学反射面と、上記第４の光学反射面からの反射光軸上に配置され、上記スクリーン上の像を観察するための接眼光学系と、上記第２の光学反射面の裏面側に設けられるもので、上記第１の光学反射面の反射光軸に交差するように受光面が配置された光学センサと、を具備することを特徴とする。
【００４２】
請求項３６に記載の発明は、請求項３５に記載の発明に於いて、上記光学センサは、光学像の結像位置を検出するＡＦセンサで構成されることを特徴とする。
【００４３】
請求項３７に記載の発明は、請求項３５に記載の発明に於いて、上記光学センサは、光学像の明るさを検出する測光センサを含む構成であることを特徴とする。
【００４４】
請求項３８に記載の発明は、請求項３５に記載の発明に於いて、上記第３の光学反射面の裏面側に配置されるもので、光学像を電気信号に変換する撮像素子ユニットを更に具備することを特徴とする。
【００４５】
請求項３９に記載の発明は、請求項３８に記載の発明に於いて、上記撮像素子ユニットの結像光学系の一部は自由曲面プリズムで形成されていることを特徴とする。
【００４６】
請求項４０に記載の発明は、請求項３５に記載の発明に於いて、上記光学センサは、ＡＦ測光、若しくは撮像を含む複数のセンサ機能のうち、２つ以上の機能を兼ねるものであることを特徴とする。
【００４７】
請求項４１に記載の発明は、請求項３５に記載の発明に於いて、上記第２の光学反射面は、半透過幕で構成されることを特徴とする。
【００４８】
請求項４２に記載の発明は、請求項３８に記載の発明に於いて、上記第３の光学反射面は、半透過幕で構成されることを特徴とする。
【００４９】
請求項４３に記載の発明は、撮影レンズにより結像された光学像を電気信号に変換する光電変換素子と、上記光電変換素子と上記撮像レンズとの間に配置され、該撮影レンズの光軸と略直角の方向に、光軸を折り曲げる第１の光学反射面と、上記第１の光学反射面により折り曲げられた光軸位置に配置され、上記光軸を更に略直角方向に折り曲げる第２の光学反射面と、上記第２の光学反射面により折り曲げられた光軸位置に配置され、上記光軸を更に略直角方向に折り曲げる第３の光学反射面と、上記第３の光学反射面により折り曲げられた光軸位置に配置され、上記光軸を更に略直角方向に折り曲げる第４の光学反射面と、光学像が形成される位置に配置されたスクリーンと、上記第４の光学反射面より折り曲げられた上記光軸位置に設けられたアイピースと、を具備し、上記第２、第３、及び第４の光学反射面の何れかは、上記アイピースへの光路と上記撮像素子側への光路を切り換えることを特徴とする。
【発明の効果】
【００５０】
本発明によれば、ＡＦ測光系、ＡＥ測光系、電子映像出力用撮像素子等の光学センサをスペース効率良く配置した小型のカメラを提供することができる。
【発明を実施するための最良の形態】
【００５１】
以下、図面を参照して、本発明の実施形態を説明する。
【００５２】
図１は、本発明の一実施形態に係るカメラのシステム構成を示すブロック図である。
【００５３】
図１に於いて、このカメラシステムは、交換レンズとしてのレンズユニット１０と、カメラ本体としてのボディユニット３０から主に構成されており、ボディユニット３０の前面に対して、所望のレンズユニット１０が着脱自在に設定されている。
【００５４】
上記レンズユニット１０は、上記ボディユニット３０の前面に設けられた、図示されないレンズマウントを介して着脱自在に装着可能である。そして、上記レンズユニット１０は、撮影レンズ１１と、絞り１２と、レンズ駆動機構１３と、絞り駆動機構１４と、レンズ制御用マイクロコンピュータ（以下、Ｌμｃｏｍと略記する）１５とから構成されている。
【００５５】
上記撮影レンズ１１は、レンズ駆動機構１３内に存在する図示されないＤＣモータによって、光軸方向に駆動される。絞り１２は、絞り駆動機構１４内に存在する図示されないステッピングモータによって駆動される。また、Ｌμｃｏｍ１５は、上記レンズ駆動機構１３や絞り駆動機構１４等、レンズユニット１０内の各部を駆動制御する。このＬμｃｏｍ１５は、通信コネクタ２０を介して、後述するボディ制御用マイクロコンピュータ５０と電気的に接続がなされ、該ボディ制御用マイクロコンピュータ５０の指令に従って制御される。
【００５６】
一方、ボディユニット３０は、以下のように構成されている。
【００５７】
レンズユニット１０内の撮影レンズ１１、絞り１２を介して入射される図示されない被写体からの光束は、第１ミラーとしてのクイックリターンミラー３１で反射され、第２ミラー７２、第３ミラー７３、第４ミラー７４等を含むファィンダ光学系（図２、図３参照、詳細は後述する）を介して、接眼光学系の接眼レンズ（アイピース）３３に至る。また、クイックリターンミラー３１で反射され、後述するスクリーン７１を介して被写体光束の一部は、第２ミラー７２を介して、自動測距を行うための焦点位置検出手段であるＡＦセンサユニット３５及び測光センサ５２に導かれる。
【００５８】
上記クイックリターンミラー３１の後方には、撮影レンズの光軸上に、フォーカルプレーン式のシャッタ３７と、ローパスフィルタ３８と、光学系を通過した被写体像を光電変換するための光電変換素子であるＣＣＤユニット４０が設けられている。つまり、クイックリターンミラー３１が光路より退避した場合、撮影レンズ１１及び絞り１２を通った光束は、ＣＣＤユニット４０の撮像面上に結像される。
【００５９】
尚、上記ＣＣＤユニット４０のＣＣＤの撮像範囲の長手方向とカメラ（ボディユニット３０）の長手方向は一致している。また、カメラシステムの撮影視野範囲の長手方向もカメラの長手方向と同一方向である。
【００６０】
このボディユニット３０は、画像処理を行うための画像処理コントローラ４６を有しており、この画像処理コントローラ４６には、ＣＣＤユニット４０に接続されたＣＣＤインターフェース回路４１と、記憶領域として設けられたＳＤＲＡＭ４２、ＦｌａｓｈＲｏｍ４３及び記録メディア４４と、液晶モニタ４５等が接続されている。これらは、電子撮像機能と共に電子記録表示機能を提供できるように構成されている。更に、液晶モニタ４５には、画像処理コントローラ４７が接続されている。そして、この画像処理コントローラ４７には、ＣＣＤインターフェース回路４８を介して、後述する第３ミラー７４の裏面に配置された撮像ユニット４９が接続されている。
【００６１】
上記記録メディア４４は、図示されないカメラのインターフェースを介してボディユニット３０に対し脱着可能な各種のメモリカードや外付けのハードディスクドライブ（ＨＤＤ）等の外部記録媒体である。
【００６２】
上記画像処理コントローラ４６及び４７は、測光回路５１を介した測光センサ５２と、ミラー駆動機構５４と、ＡＦセンサ駆動回路５５と、シャッタチャージ機構５６と、シャッタ制御回路５７と、不揮発性メモリ（ＥＥＰＲＯＭ）５８と、ストロボ制御回路６１を介したストロボ６２等と共に、このボディユニット３０内の各部を制御するためのボディ制御用マイクロコンピュータ（以下、Ｂμｃｏｍと略記する）５０に接続されている。
【００６３】
上記Ｂμｃｏｍ５０には、更に、当該カメラの動作状態を表示出力によって撮影者へ告知するための動作表示用ＬＣＤ６３と、カメラ操作スイッチ（ＳＷ）６４と、電源回路６５を介して電池６６とが接続されている。
【００６４】
尚、上記Ｂμｃｏｍ５０とＬμｃｏｍ１５とは、レンズユニット１０の装着時に於いて、通信コネクタ２０を介して通信可能に電気的接続がなされる。そして、デジタルカメラとしてＬμｃｏｍ１５がＢμｃｏｍ５０に従属的に協働しながら稼動するようになっている。
【００６５】
上記測光回路５１は、測光センサ５２の電気信号に基づいて測光処理する回路である。上記ミラー駆動機構５４はクイックリターンミラー３１を駆動制御する機構（切り替え手段）であり、ＡＦセンサ駆動回路５５は上記ＡＦセンサユニット３５を駆動制御するための回路である。
【００６６】
また、シャッタチャージ機構５６は、上記シャッタ３７の先幕と後幕を駆動するばねをチャージするものである。シャッタ制御回路５７は、上記シャッタ３７の先幕と後幕の動きを制御すると共に、Ｂμｃｏｍ５０との間でシャッタの開閉動作を制御する信号とストロボと同調する信号の授受を行う。
【００６７】
不揮発性メモリ５８は、上述したＳＤＲＡＭ４２、ＦｌａｓｈＲｏｍ４３、記録メディア４４以外の記憶領域として、カメラ制御に必要な所定の制御パラメータを記憶する記憶手段であり、Ｂμｃｏｍ５０からアクセス可能に設けられている。
【００６８】
ストロボ６２は、図示されない閃光発光管を有して被写体に閃光を照射するものである。そして、ストロボ制御回路６１にて、ストロボ６２の閃光発光管の発光に必要な電荷の充電制御や、ストロボ６２の発光制御が行われる。
【００６９】
動作表示用ＬＣＤ６３は、当該カメラの動作状態を表示出力によってユーザへ告知するためのものである。上記カメラ操作スイッチ６４は切り替え手段として、例えば撮影動作の実行を指示すると共に後述するようにクイックリターンミラー３１を撮影光路の内外に切り替えるレリーズスイッチ、撮影モードと画像表示モードを切り替えるモード変更スイッチ及びパワースイッチ、等、当該カメラを操作するために必要な操作釦を含むスイッチ群で構成される。
【００７０】
更に、電源回路６５は、電源としての電池６６の電圧を、当該カメラシステムの各回路ユニットが必要とする電圧に変換して供給するために設けられている。
【００７１】
次に、上述したファインダ光学系について、図２及び図３を参照して説明する。
【００７２】
図２及び図３は、本実施形態に於いてファインダ観察状態であってファインダ光学系及びＡＦセンサユニット３５の主要構成部材をカメラボディに組み込んだ状態の配置を示したもので、図２はカメラボディの上面側より見た図、図３は撮影レンズ側から見た正面図である。
【００７３】
また、以下の説明に於いて、カメラの通常の使用状態、すなわち通常の撮影時に撮影者がカメラを構えた場合のカメラの状態を横位置として、ボディユニット３０の長手方向を視野範囲の長手方向と一致させて水平方向としている。
【００７４】
このファインダ光学系は、レンズユニット１０内の撮影レンズ１１を通過した被写体からの光束をアイピース３３へと導くための複数のミラー、すなわち第１ミラーとしてのクイックリターンミラー３１と、第２ミラー７２と、第３ミラー７３と、第４ミラー７４と、スクリーン７１とを有して構成される。そして、クイックリターンミラー３１は第１の反射面（第１の光学反射面）を有し、第２ミラー７２、第３ミラー７３及び第４ミラー７４は、それぞれ第２の反射面（第２の光学反射面）、第３の反射面（第３の光学反射面）及び第４の反射面（第４の光学反射面）を形成している。
【００７５】
尚、第２ミラー７２及び第３ミラー７３は、ハーフミラーにより構成されている。ここで、光束の一部を所定の割合で透過させる光学部材をハーフミラー、或いは半透過ミラーと称するが、必ずしも５０％でなくともよく、例えば３０％であってもよい。
【００７６】
上記撮影レンズ１１を通過した被写体からの光束は、図示矢印Ａ方向に回動可能な第１の反射部材としてのクイックリターンミラー３１に至る。このクイックリターンミラー３１は、被写体観察時は図２に実線で示されるように、撮影レンズ１１とＣＣＤユニット４０との間であって、撮影レンズ１１の撮影光路内（観察位置）に配置される。そして、撮像時は、クイックリターンミラー３１はミラー駆動機構５４によって、図２に二点鎖線で示される位置（退避位置）に移動、すなわち撮影光路より退避されて、被写体からの光束が、シャッタ３７、光学ローパスフィルタ３８を介してＣＣＤユニット４０に導かれるようになっている。
【００７７】
尚、図中３９は、ＣＣＤユニット４０と光学ローパスフィルタ３８との間を封止するためのシール部材である。
【００７８】
被写体観察時、クイックリターンミラー３１の第１の反射面にて、撮影レンズ１０から入射した被写体光束は、撮影レンズ１０の光軸に対し略９０°の角度であって、ボディユニット３０の長手方向に沿う方向に反射される。つまり、図２に於いて右方向に反射される。
【００７９】
クイックリターンミラー３１の第１の反射面にて反射された光束は、該反射面の反射光軸上に配置されたスクリーン７１上に結像する。更に、このスクリーン７１上の像からの光束は、第２の反射部材である第２ミラー７２により反射される。
【００８０】
上記第２ミラー７２は、上記クイックリターンミラー３１の第１の反射面からの反射光軸上であって、その反射面である第２反射面が上記第１の反射面からの反射光軸に対し、所定の角度だけ傾いて配置されている。そして、第２ミラー７２に入射した上記第１反射面からの反射光束は、上記第１の反射面からの反射光軸に対し略９０°の角度で反射される。つまり、クリックリターンミラー３１の第１反射面からの反射光束は、第２ミラー７２の第２反射面にて、図３に於いてボディユニット３０の上方に向けて反射される。
【００８１】
上記第２ミラー７２の第２反射面で反射された光束は、第２反射面の反射光軸上であって、その反射面である第３反射面が、上記第２反射面の反射光軸に対し所定の角度だけ傾いて配置される第３ミラー７３に入射する。
【００８２】
第３の反射部材である第３ミラー７３に入射した上記第２反射面からの反射光束は、第３ミラー７３の第３反射面にて、上記第２反射面からの反射光軸に対し略９０°の角度であって、上記クイックリターンミラー３１の第１反射面による反射方向と相反する方向に反射される。つまり、第２ミラー７２の第２反射面からの反射光束は、第３ミラー７３の第３反射面にて、図３に於いてボディユニット３０の左方向に向けて反射する。換言すれば、クイックリターンミラー３１の第１反射面にて反射された光束は、第２、第３ミラー７２、７３によって折り返すように導かれ、第３ミラー７３の第３反射面の反射光軸は、上記クイックリターンミラー３１の第１反射面の反射光軸と略平行となる。
【００８３】
上記第３ミラー７３の第３反射面で反射された光束は、第３反射面の反射光軸上であって、その反射面である第４反射面が上記第３ミラー７３の第３反射面の反射光軸に対し所定の角度だけ傾いて配置される第４ミラー７４に入射する。
【００８４】
第４の反射部材である第４ミラー７４に入射した上記第３反射面からの反射光束は、第４ミラー７４の第４反射面にて、上記第３反射面からの反射光軸に対し略９０°の角度であって、上記撮影レンズ１１からクイックリターンミラー３１への入射方向と相反する方向に反射される。つまり、第３ミラー７３の第３反射面からの反射光束は、第４ミラー７４の第４反射面にて、図２に於いて上方、すなわちボディユニット３０の後方に向けて反射される。そして、第４反射面の反射光軸は、上記撮影レンズ１１の光軸と略平行となっている。
【００８５】
第４ミラー７４の第４反射面にて反射された光束は、第４反射面の反射光軸上に配置されたアイピース３３に入射する。
【００８６】
このように、撮影レンズ１１からの被写体光束は、第１乃至第４反射面によって、その像が正立正像となるように反転されてアイピース３３に導かれる。これにより、アイピース３３を通して、撮影者の眼でスクリーン７１上に結像した被写体像が観察可能となる。
【００８７】
また、上記第２ミラー７２の裏面側には、ＡＦセンサユニット３５が配置されている。第２ミラー７２はハーフミラーにより構成されているので、上述したように、スクリーン７１に導かれた光束の一部が、第２ミラー７２を透過してＡＦセンサユニット３５に入射される。
【００８８】
ＡＦセンサユニット３５は、スクリーン７１に対して正対して配置されており、２次結像レンズによって作られる像を瞳分割して光電素子に導くことで、位相差方式のＡＦセンサユニットを構成している。
【００８９】
ここで、ＡＦセンサユニット３５は、第２ミラー７２の第２の反射面の裏面側に配置することで、画面全域をカバーした広視野のＡＦを実現することができる。
【００９０】
同様に、上記スクリーン７１からの光束に対して電気信号を出力する測光センサ５２が、クイックリターンミラー３１の第１の反射面の反射光軸と交差して、第２ミラー７２の第２の反射面の裏面側に設けられている。この測光センサ５２の電気信号に基づいて、測光回路５１にて測光処理がなされる。
【００９１】
上記第３ミラー７３の第３の反射面の裏面側には、撮像ユニット４９が配設されている。この第３ミラー７３もハーフミラーで構成されているので、スクリーン７１からの光束に対して、２次結像する光学系により像を形成する。この形成された像は、撮像ユニット４９にて光電変換され、ＣＣＤインターフェース回路４８、画像処理コントローラ４７で処理された後、ファインダ機能として液晶モニタ４５に表示される。
【００９２】
また、撮像ユニット４９は、第３ミラー７３の第３の反射面の裏面側に配置されるので、光学ファインダヘの光束を阻害することが無く、光学ファインダ表示と電子画表示の両方の表示を簡単に実現することができる。
【００９３】
尚、本実施形態では、図２及び図３に示されるように、クイックリターンミラー３１、第２ミラー７２、第３ミラー７３及び第４ミラー７４は、入射光束に対して略９０°の角度で反射するように配置しているが、これに限られるものではない。
【００９４】
このように構成されたカメラシステムでは、各部が次のように稼動する。
【００９５】
画像処理コントローラ４６は、Ｂμｃｏｍ５０からの指令に従って、ＣＣＤインターフェース回路４１を制御して、ＣＣＤユニット４０から画像データを取り込む。この画像データは、画像処理コントローラ４０でビデオ信号に変換され、液晶モニタ４５にて出力表示される。ユーザはこの液晶モニタ４５の表示画像から、撮影した画像イメージを確認することができる。
【００９６】
ＳＤＲＡＭ４２は、画像データの一時的保管用メモリであり、画像データが変換される際のワークエリア等に使用される。また、この画像データは、ＪＰＥＧデータに変換された後には、記録メディア４４に保管されるように設定されている。
【００９７】
ＣＣＤユニット４０の前には、光学ローパスフィルタ３８によって保護されている。
【００９８】
ミラー駆動機構５４は、クイックリターンミラー３１を撮影位置とファインダ観察位置に駆動するための機構である。このクイックリターンミラー３１がファインダ観察位置にある場合は、撮影レンズ１１からの光束は、ハーフミラーを構成する第２ミラー７２により、ＡＦセンサユニット３５側とファインダ側へと分割されて導かれる。
【００９９】
ＡＦセンサユニット３５内のＡＦセンサからの出力は、ＡＦセンサ駆動回路５５を介してＢμｃｏｍ５０へ送信されて、周知の測距処理が行われる。
【０１００】
また、第４ミラー７４に隣接するアイピース３３からは、ユーザが被写体を目視することができる。
【０１０１】
一方、第２ミラー７２を透過したスクリーン７１の結像光束の一部は、測光センサ５２へ導かれ、ここで検知された光量に基づいて、測光回路５１で周知の測光処理が行われる。
【０１０２】
次に、図４のフローチャートを参照して、上述したＢμｃｏｍ５０が行う制御について具体的に説明する。
【０１０３】
先ず、カメラの図示されない電源スイッチがオンされると、Ｂμｃｏｍ５０の稼動が開始される。そして、ステップＳ１にて、カメラシステムを起動するための処理が実行される。ここでは、電源回路６５が制御されて、このカメラシステムを構成する各回路ユニットへ電力が供給される。また、各回路の初期設定が行われる。
【０１０４】
ステップＳ２は周期的に実行されるステップであり、Ｌμｃｏｍ１５と通信動作が行われることでレンズユニット１０の状態が検出される。次いで、ステップＳ３にて、レンズユニット１０がボディユニット３０に装着されたか否かが判定される。ここで、レンズユニット１０が装着された場合はステップＳ４へ移行し、装着されていない場合はステップＳ５へ移行する。
【０１０５】
ステップＳ４では、制御フラグＦ＿Ｌｅｎｓがをセット（“１”）される。この制御フラグは、当該カメラのボディユニット３０にレンズユニット１０が装着されている期間は“１”を示し、レンズユニット１０が外されている期間は“０”を示す。当該フラグがセットされた後は、ステップＳ７へ移行する。
【０１０６】
一方、上記ステップＳ３にて、ボディユニット３０にレンズユニット１０が装着されていないことが検出された場合は、ステップＳ５にて、レンズユニット１０がボディユニット３０から外されたか否かが判定される。ここで、レンズユニット１０が外されたことが検出された場合は、ステップＳ６へ移行して、制御フラグＦ＿Ｌｅｎｓがリセット（“０”）される。そして、当該フラグのリセット後、若しくは上記ステップＳ５にてレンズユニット１０が外されたことが検出されない場合は、ステップＳ７へ移行する。
【０１０７】
ステップＳ７では、カメラ操作スイッチ６４の状態が検出される。そして、ステップＳ８に於いて、カメラ操作スイッチの１つである図示されないファーストレリーズスイッチ（１ｓｔレリーズＳＷ）が操作されたか否かが判定される。ここで、ファーストレリーズスイッチがオンされているならばステップＳ９へ移行し、オフであれば上記ステップＳ２へ移行する。
【０１０８】
ステップＳ９では、測光回路５１から被写体の輝度情報が入手される。そして、この情報からＣＣＤユニット４０の露光時間（Ｔｖ値）と撮影レンズ１１の絞り設定値（Ａｖ値）が算出される。次いで、ステップＳ１０では、ＡＦセンサ駆動回路５５を経由してＡＦセンサユニット３５の検知データが入手される。このデータに基づいて、ピントのズレ量が算出される。
【０１０９】
そして、ステップＳ１１に於いて、制御フラグＦ＿Ｌｅｎｓの状態が判定される。ここで、当該フラグが“０”ならばレンズユニット１０が存在しないことを意味するので、次のステップＳ１２以降の撮影動作は実行することができない。そこで、この場合は上記ステップＳ２へ移行する。一方、制御フラグＦ＿Ｌｅｎｓが“１”であれば、ステップＳ１２へ移行して、Ｌμｃｏｍ１５に対してピントのズレ量が送信されて、このズレ量に基づく撮影レンズ１１の駆動が指令される。
【０１１０】
次に、ステップＳ１３に於いて、カメラ操作スイッチ６４の１つである、図示されないセカンドレリーズスイッチ（２ｎｄレリーズＳＷ）が操作されたか否かが判定される。このセカンドレリーズスイッチがオンされている場合はステップＳ１４へ移行するが、オフの場合は上記ステップＳ２へ移行する。
【０１１１】
ステップＳ１４では、Ｌμｃｏｍ１５へＡｖ値が送信されて、撮影レンズ１０内の絞り１２の駆動が指令される。そして、ステップＳ１５にて、クイックリターンミラー３１が図２に二点鎖線で示される撮影光路の退避位置へ移動される。
【０１１２】
次いで、ステップＳ１６にてシャッタ３７の先幕走行が開始され、更にステップＳ１７にて、画像処理コントローラ４６に対して撮像動作が実行される。ここで、上記Ｔｖ値で示される時間、ＣＣＤユニット４０への露光が終了すると、続くステップＳ１８に於いて、シャッタ３７の後幕走行が開始される。
【０１１３】
そして、ステップＳ１９にて、クイックリターンミラー３１がファインダ観察位置へ駆動される。また、このクイックリターンミラー３１の駆動と並行して、シャッタ３７のチャージ動作が行われる。
【０１１４】
ステップＳ２０では、Ｌμｃｏｍ１５に対して、絞り１２が開放位置へ復帰されるように指令される。次いで、ステップＳ２１にて、画像処理コントローラ４６に対して、撮影された画像データが記録メディア４４へ記録されるように指令される。そして、その画像データの記録が終了すると、ステップＳ２２に於いて、撮影終了か否かが判定される。ここで、撮影終了でなければ上記ステップＳ２へ移行して、移行の処理動作が繰り返される。一方、撮影終了であれば、本ルーチンが終了する。
【０１１５】
このように、本実施の形態によれば、ファインダ光学系の中に、ＡＦセンサユニット、測光ユニット、撮像ユニットを省スペースで配置可能であり、且つ、各々の光学センサを光軸中心近くに配置できるので、広視野で小型のものが形成可能となり、小型、軽量なカメラを提供することが可能となる。
【０１１６】
尚、図２及び図３に示されたＡＦセンサユニット３５、測光センサ５２、撮像ユニット４９の配置は、これに限られるものではなく、それぞれの配置を相互に入れ替えてもよいし、第４ミラー７４の裏面側に配置してもよい。この場合、第４ミラー７４をハーフミラーで構成することが望ましい。
【０１１７】
また、上記各センサ及びユニットは、例えばＡＦを撮像ユニット４９により形成される画像のコントラストを検出し、撮影レンズを動かして最大のコントラスト位置を検出するコントラスト検出式ＡＦにすれば、撮像ユニット４９を用いて、ＡＦ、測光、撮像の３つの機能を兼ねることも可能となる。
【０１１８】
更に、図２及び図３では、第２ミラー７２、第３ミラー７３はハーフミラーで固定ミラーとしていたが、これらを全反射ミラーで構成して、光路から退避するクイックリターンミラー３１の駆動機構と同様な機構として、ミラー裏面側に設置した光学センサとファインダ光学系の切り替えを行っても、勿論よいものである。
【０１１９】
図５は、本実施の形態の変形例を示すもので、上述した撮像ユニット４９に代えて自由曲面プリズム８１、８２を用いたものである。このように構成すれば、撮像ユニットを、より薄い形で構成することができる。
【０１２０】
また、上述した実施形態ではデジタルカメラを例として説明したが、これに限られるものではなく、フィルム使用の一眼レフカメラにも適用可能である。
【０１２１】
以上、本発明の実施形態について説明したが、本発明は上述した実施形態以外にも、本発明の要旨を逸脱しない範囲で種々の変形実施が可能である。
【図面の簡単な説明】
【０１２２】
【図１】本発明の一実施形態に係るカメラのシステム構成を示すブロック図である。
【図２】本発明の一実施形態に於いてファインダ観察状態であってファインダ光学系及びＡＦセンサユニット３５の主要構成部材をカメラボディに組み込んだ状態の配置を示したもので、カメラボディの上面側より見た図である。
【図３】本発明の一実施形態に於いてファインダ観察状態であってファインダ光学系及びＡＦセンサユニット３５の主要構成部材をカメラボディに組み込んだ状態の配置を示したもので、撮影レンズ側から見た正面図である。
【図４】カメラボデイ３０のＢμｃｏｍ５０が行う制御動作を説明するフローチャートである。
【図５】本実施の形態の変形例であって、撮像ユニット４９に代えて自由曲面プリズム８１、８２を用いた例を示した図である。
【符号の説明】
【０１２３】
１０…レンズユニット、１１…撮影レンズ、１２…絞り、１３…レンズ駆動機構、１４…絞り駆動機構、１５…レンズ制御用マイクロコンピュータ（Ｌμｃｏｍ）、２０…通信コネクタ、３０…ボディユニット、３１…クイックリターンミラー、３３…接眼レンズ（アイピース）、３５…ＡＦセンサユニット、３７…シャッタ、３８…光学ローパスフィルタ、４０…ＣＣＤユニット、４１、４８…ＣＣＤインターフェース回路、４５…液晶モニタ、４６、４７…画像処理コントローラ、４９…撮像ユニット、５０…ボディ制御用マイクロコンピュータ（Ｂμｃｏｍ）、５１…測光回路、５２…測光センサ、５４…ミラー駆動機構、５５…ＡＦセンサ駆動回路、５６…シャッタチャージ機構、５７…シャッタ制御回路、５８…不揮発性メモリ（ＥＥＰＲＯＭ）、６２…ストロボ、６３…動作表示用ＬＣＤ、６４…カメラ操作スイッチ（ＳＷ）、６５…電源回路、７１…スクリーン、７２…第２ミラー、７３…第３ミラー、７４…第４ミラー。
【図１】
2006071839.tif 000003
【図２】
2006071839.tif 000004
【図３】
2006071839.tif 000005
【図４】
2006071839.tif 000006
【図５】
2006071839.tif 000007